(57)【要約】 【課題】  別体の録音機を接続すると、録音機の操作インフォメーションを表示して録音機の操作性を向上すること。【解決手段】  別体の録音機器を接続可能な撮影機器において、録音機器が接続されたか否かを判定と、録音機器の動作状態の判断結果とに応じて録音機器を作動させるための操作インフォメーションを表示し、かつ操作インフォメーションとして、該撮影機器に接続されている録音機器の録音状態に応じた操作入力画像を表示し、該表示に従った操作を受けて録音機器への操作指示を該撮影機器側の操作により行うための操作部又はタッチパネルを備え、表示制御部によって操作部又はタッチパネルによる操作インフォメーションの指示に対応する操作入力に応じて録音機器に対する操作制御の指示を通信部を介して送信して該録音機器の録音動作を変更させる。【選択図】図１
2014168255.tif 000002
【特許請求の範囲】
【請求項１】
別体の録音機器を接続可能な撮影機器において、
上記録音機器の操作信号を送受信して該録音機器との間で通信を行う通信部と、
上記通信部による送受信の結果に基づいて上記録音機器が接続されたか否かを判定する判定部と、
上記判定部の判定結果により上記録音機器が接続されたと判定された場合に、上記通信部の送受信の結果に基づいて上記録音機器の動作状態を判断する録音動作判断手段と、
上記判定部の判定結果、および上記録音動作判断手段による判断結果に応じて上記録音機器を作動させるための操作インフォメーションを表示し、かつ上記操作インフォメーションとして、該撮影機器に接続されている上記録音機器の録音状態に応じた操作入力画像を表示する表示制御部と、
上記表示制御部による上記表示に従った操作を受けて、上記録音機器への操作指示を該撮影機器側の操作により行うための操作部又はタッチパネルと、
を具備し、
上記表示制御部は、上記操作部又は上記タッチパネルによる上記操作インフォメーションの指示に対応する操作入力に応じて上記録音機器に対する操作制御の指示を上記通信部を介して上記録音機器に送信して該録音機器の録音動作を変更させる、
ことを特徴とする撮影機器。
【請求項２】
上記表示制御部は、上記録音機器に対する上記操作インフォメーションとして、該撮影機器に接続されている上記録音機器の録音開始、または停止を示す表示を合成表示し、
上記操作部又は上記タッチパネルに対する上記操作入力を受け、上記録音機器に対する上記操作インフォメーションの指示に対応する上記操作入力に応じて上記録音機器の録音動作の停止または開始動作を変更させる、
ことを特徴とする請求項１記載の撮影機器。
【請求項３】
上記表示制御部は、該撮影機器の撮影により取得される画像上、又は該撮影機器の上記撮影の開始前に表示されるスルー画像上に、上記録音機器に対する上記操作インフォメーションを合成表示することを特徴とする請求項１又は２記載の撮影機器。
【請求項４】
上記表示制御部は、撮像対象の音声に関する上記操作インフォメーションに対して、更に該撮影機器に接続されている上記録音機器の録音ゲイン設定を示す表示を合成表示し、
上記操作部又は上記タッチパネルによる上記操作入力を受け、上記録音機器に対する上記操作インフォメーションの指示に対応する上記操作入力に応じて上記録音機器の上記録音ゲインを変更させる、
ことを特徴とする請求項３記載の撮影機器。
【発明の詳細な説明】
【技術分野】
【０００１】
本発明は、別体の録音機を接続可能とするデジタルカメラ等の撮影機器に関する。
【背景技術】
【０００２】
フィルムカメラの時代から音声を記録する方法が各種模索されている。画像も音声もデジタル化して記録するようになってからは、画像と音声とを関連付けて記録することが容易になってきている。又、各デジタル機器間でデジタル情報を授受し、これらデジタル機器間の互換性を追求した規格化の動きも盛んである。例えば、特許文献１は、カメラとボイスレコーダとを接続し、画像データと音声データとを関連付けて記憶可能なシステムであって、カメラが主体であり、当該カメラの撮影動作に連動してボイスレコーダに録音の開始と停止とを指示することを開示する。特許文献２は、マルチコネクタを介して２つのビデオカメラを接続可能なシステムであって、一方のビデオカメラが単にＶＴＲデッキとして機能することを開示する。特許文献３は、データの関連付けについて開示する。
【先行技術文献】
【特許文献】
【０００３】
【特許文献１】特許第３５８１１４４号公報
【特許文献２】特開平６−３４３１３７号公報
【特許文献３】特開２０００−３４７３２２号公報
【発明の概要】
【発明が解決しようとする課題】
【０００４】
しかしながら、特許文献１ではカメラとボイスレコーダとを接続してもカメラが主体であり、特許文献２では一方のビデオカメラが単にＶＴＲデッキとして機能するものであり、換言すれば、一方の機器がマスターとなり、他方がスレーブとなるようなシステムとなる。かかるシステムは、操作が分かり易いという利点があるが、撮影シチュエーションによっては、操作しにくく融通が利かないということになることもある。状況によっては、適宜、マスターとスレーブを入れ替えた方が使いやすい場合もある。特許文献３は、データの関連付けについての内容であり、各機能の使い分けや効果的な連携操作については触れられていない。
【０００５】
本発明は、別体の録音機を接続すると、録音機の操作インフォメーションを表示して録音機の操作性を向上できる撮影機器を提供することにある。
【課題を解決するための手段】
【０００６】
本発明の主要な局面に係る撮影機器は、別体の録音機器を接続可能な撮影機器において、録音機器の操作信号を送受信して該録音機器との間で通信を行う通信部と、通信部による送受信の結果に基づいて録音機器が接続されたか否かを判定する判定部と、判定部の判定結果により録音機器が接続されたと判定された場合に、通信部の送受信の結果に基づいて録音機器の動作状態を判断する録音動作判断手段と、判定部の判定結果、および録音動作判断手段による判断結果に応じて録音機器を作動させるための操作インフォメーションを表示し、かつ操作インフォメーションとして、該撮影機器に接続されている録音機器の録音状態に応じた操作入力画像を表示する表示制御部と、表示制御部による表示に従った操作を受けて、録音機器への操作指示を該撮影機器側の操作により行うための操作部又はタッチパネルとを具備し、表示制御部は、操作部又はタッチパネルによる操作インフォメーションの指示に対応する操作入力に応じて録音機器に対する操作制御の指示を通信部を介して録音機器に送信して該録音機器の録音動作を変更させる。
【発明の効果】
【０００７】
本発明によれば、別体の録音機を接続すると、録音機の操作インフォメーションを表示して録音機の操作性を向上できる撮影機器を提供できる。
【図面の簡単な説明】
【０００８】
【図１】本発明に係る撮影機器の一実施の形態を示すブロック構成図。
【図２】同機器のユーザによる使用状態及び外観を示す図。
【図３】同機器における振動判定部の構成作用を説明するための図。
【図４】同機器に接続されるＩＣレコーダに記録される音声ファイルのフォーマットと同機器に記録される画像ファイルのフォーマットを示す模式図。
【図５】同機器における操作インフォメーションの例を示す図。
【図６】同機器における動作制御フローチャート。
【図７】同機器における他の操作インフォメーションの表示操作のフローチャート。
【図８】同機器に別体のＩＣレコーダを接続したときの使用状況の一例を説明するための図。
【発明を実施するための形態】
【０００９】
以下、本発明の一実施の形態について図面を参照して説明する。  
図１は撮影機器（カメラ）１００のブロック構成図を示し、図２はカメラ１００のユーザＱによる使用状態及び外観図を示す。このカメラ１００は、当該カメラ１００と別体の音声記録装置（ＩＣレコーダ）２０が接続可能である。ＩＣレコーダ２０は、ＵＳＢ端子を有し、このＵＳＢ端子を介してカメラ１００との間でデータ授受が可能である。
【００１０】
カメラ１００は、レンズ交換式で、カメラ本体１０と交換レンズ３０とを有する。交換レンズ３０は、カメラ本体１０に対して分離可能である。カメラ１００は、必ずしもレンズ交換式でなくとも良い。カメラ本体１０には、液晶ディスプレイ等の表示画面８ａが設けられている。ＩＣレコーダ２０には、例えばステレオにより録音を可能とする２つのマイクロホンＭ１、Ｍ２と、液晶ディスプレイ等の表示画面２５ａとを備える。各マイクロホンＭ１、Ｍ２は、それぞれＩＣレコーダ２０の本体に対して首振り自在に設けられ、指向性（ステレオ集音範囲）を可変可能である。表示画面２５ａには、例えばＩＣレコーダ２０の録音中等の動作状態を確認するための情報等が表示される。
【００１１】
交換レンズ３０は、撮像レンズ３２と、撮影制御部３１と、レンズ制御部３７と、通信部３３とを有している。撮像レンズ３２は、被写体からの光束（画像情報）をカメラ本体１０内部の撮像部２に入射させる。撮影制御部３１は、絞り等を制御する。レンズ制御部３７は、通信部３３を介してカメラ本体１０と通信可能である。このレンズ制御部３７は、カメラ本体１０からのレンズ制御信号に応じて例えばフォーカシング制御やズーミング制御といった撮像レンズ３２のレンズ制御を行う。通信部３３は、レンズ制御部３７がカメラ本体１０と通信するためのインターフェースである。
【００１２】
カメラ本体１０は、信号処理制御部１と、撮像部２と、通信部３と、記録部４と、振動判定部５と、操作部６と、タッチパネル判定部７と、表示再生部８と、時計部９と、通信部１２と、タッチパネル１３とを有する。撮像部２は、撮像レンズ３２を介して入射した光束を光電変換して画像データを取得する。表示再生部８は、液晶ディスプレイ等の表示部とスピーカ等の音声再生部とを有する。この表示再生部８にある表示部は、撮像部２において得られた画像データに基づくスルー画像、静止画像等の各種画像を表示する。表示再生部８にある音声再生部は、ＩＣレコーダ２０から送信された音声を再生する。記録部４には、撮像部２により撮像され、信号処理制御部１により処理されて得られた画像ファイル等の各種データを記録するもので、例えばフラッシュメモリである。  
【００１３】
振動判定部５は、カメラ本体１０に対するユーザＱによる例えばタップ又はシェイク等の各種モーションを検知する。この振動判定部５は、例えば加速度センサを用いる。この振動判定部５は、例えば図３（ａ）に示すような振動検出用のチップ素子５１を複数配置して成る。これらチップ素子５１は、例えば架橋された金属部と当該チップ素子５１のチップ表面の金属部との位置が加速度によって変化するもので、マイクロ・エレクトロ・メカニカル・システムズ（ＭＥＭＳ）のプロセスによって作成される。これにより、各チップ素子５１は、例えばタップ又はシェイク等の各種モーションを受けると、その加速度によって電極間の距離が変化してそのコンデンサ成分が変化し、加速度を検出する。具体的には、図３（ｂ）に示すように３つのチップ素子５１ａ、５１ｂ、５１ｃをカメラ本体１０に設け、ｘｙｚ方向の３方向（前後、左右、上下の３方向）の各種モーションを検出する。操作部６は、ユーザＱがカメラ本体１０に対して各種の操作指示を与えるための各種の操作部材である。時計部９は、撮影時刻（日時）等の各種の時刻を計時する。タッチパネル１３は、表示再生部８における液晶ディスプレイ等の表示画面８ａ上に配置される。タッチパネル１３は、ユーザＱによるタッチ位置に対応するタッチ位置信号を出力する。タッチパネル判定部７は、タッチパネル１３からのタッチ位置信号を受けてタッチパネル１３へのタッチを判定すると共に、タッチ位置情報を信号処理制御部１の表示制御部１ａに送る。信号処理制御部１は、カメラ本体１０の各ブロックの動作制御を行う。この信号処理制御部１は、撮像部２において得られた画像データに対して圧縮処理等の各種の画像処理を施す。信号処理制御部１は、操作部６の操作を受けた場合、当該操作部６の操作内容に応じた各種の処理を実行する。通信部３は、信号処理制御部１が交換レンズ３０と通信するためのインターフェースである。この通信部１２は、信号処理制御部１がＩＣレコーダ２００と通信するためのインターフェースである。
【００１４】
ＩＣレコーダ２０は、信号処理制御部２１と、通信部２２と、記録部２４と、表示再生部２５と、操作部２６と、音声収録部２７と、時計部２９とを有している。記録部２４には、音声収録部２７において得られ、信号処理制御部２１の処理により得られた音声ファイル等の各種のデータが記録される。この記録部２４は、例えばフラッシュメモリである。表示再生部２５は、スピーカや表示部を有し、記録部２４に記録された音声ファイル等を音声に変換して再生したり、各種の画像を液晶ディスプレイ等の表示画面２５ａに表示する。操作部２６は、ユーザＱがＩＣレコーダ２０に対して各種の操作指示を与えるための各種の操作部材である。音声収録部２７は、マイクロホンＭ１、Ｍ２等を有し、外部から入力された音声を電気信号に変換することにより音声データを取得する。時計部２９は、録音時刻（日時）等の各種の時刻を計時する。信号処理制御部２１は、ＩＣレコーダ２０の各ブロックの動作制御を行う。この信号処理制御部２１は、音声収録部２７において得られた音声データに対して圧縮処理等の処理を施す。又、信号処理制御部２１は、操作部２６を介した操作指示を受けた場合や通信部２２を介した操作信号を受けた場合、当該操作指示に応じた各種の処理を実行する。通信部２２は、信号処理制御部２１がカメラ本体１０と通信するためのインターフェースである。この通信部２２とカメラ本体１０の通信部１２とを介してＩＣレコーダ２０とカメラ本体１０とを通信可能とした状態で音声の記録を行うこともできる。
【００１５】
図４（ａ）はＩＣレコーダ２０の記録部２４に記録される音声ファイルＶのフォーマットの模式図を示し、同図（ｂ）はカメラ１００に記録される画像ファイルＰのフォーマットの模式図を示す。音声ファイルＶは、微小区分の複数の音声データ（分割音声データ）を含むもので、分割録音モードのフォーマットと称する。通常録音モードにおける音声ファイルＶは、音声データ部と音声データ部に付随するヘッダ部とを備えている。ヘッダ部には、録音時刻等に加えて、画像データとの関連を示す静止画像データとしてサムネイル画像が含まれる。このサムネイル画像は、例えば録音中の撮影により取得された複数の画像データ中から主被写体の大きさが最も大きく撮影された画像データがサムネイル画像として選択される。音声データ部は、音声データが時系列の記録された複数のトラックに分割されており、各々のトラックは分割音声データを格納する。各トラックは、ある一定の時間（秒）毎にトラック「１」「２」別に記録される。例えば、トラック「１」は、マイクロホンＭ１により集音された音声データであり、トラック「２」は、マイクロホンＭ２により集音された音声データである。分割録音モードにおける分割条件はヘッダ部に記録される。
【００１６】
画像ファイルＰは、ヘッダ部と画像データ部とを備えている。ヘッダ部には、画像データの取得開始時刻（撮影開始時刻）及び取得終了時刻（撮影終了時刻）に加えて、画像データ部に記録されている画像データが対応する１つ以上の分割音声データに関する対応音声情報が記録される。この対応音声情報としては、例えば画像データが対応している分割音声データの先頭トラック、終了トラックを示す情報である。
【００１７】
信号処理制御部１は、表示制御部１ａを有する。この表示制御部１ａは、ＩＣレコーダ２０が接続されたか否かを判定する判定部と、この判定結果、ＩＣレコーダ２０が接続されていると判定すると、ＩＣレコーダ２０を作動させるための操作インフォメーションを表示再生部８の液晶ディスプレイ等の表示画面８ａに表示する。表示制御部１ａは、表示再生部８の液晶ディスプレイ等の表示画面８ａ上において、撮影により取得されたスルー画像上に操作インフォメーションを合成表示する。操作インフォメーションは、撮像対象の音声に関するもので、ＩＣレコーダ２０をカメラ１００に取り付け、かつカメラ１００の撮影範囲とＩＣレコーダ２０の録音範囲（ステレオ集音範囲）とが合っている場合、ＩＣレコーダ２０の表示画面２５ａにおける表示では操作しにくい操作内容である。この操作インフォメーションは、例えば図２に示すようにＩＣレコーダ２０による録音を促すためのタップ・録音（Ｔap Ｒec）Ｅ１、図５に示すように録音を終了するためのタップ・録音終了（Ｔap Ｓtop）Ｅ２等である。ＱａはユーザＱの手によるタッチを示す。操作インフォメーションは、各マイクロホンＭ１、Ｍ２の各ステレオ集音範囲Ｄ１、Ｄ２の範囲や、各マイクロホンＭ１、Ｍ２の各録音ゲインＲ１、Ｒ２、録音の時間Ｔでも良い。さらに操作インフォメーションは、音声データに対するイコライザやトーンコントロールであっても良い。表示制御部１ａは、タッチパネル判定部７からのタッチ位置情報を受けてタップ・録音Ｅ１、タップ・録音終了Ｅ２、バー形状の各録音ゲインＲ１、Ｒ２等の操作インフォメーションに対する動作の指示をＩＣレコーダ２０に送る。
【００１８】
次に、上記の如く構成されたカメラ１００の動作制御について図６に示す動作制御フローチャートに従って説明する。  
ユーザによる操作部６の操作によりカメラ１００の動作モードが設定される。信号処理制御部１は、動作モードが撮影モードか否かを判定する（Ｓ１０１）。撮影モードであれば、信号処理制御部１は、スルー画像を表示再生部８の表示画面８ａ上に表示する（Ｓ１０１ａ）。信号処理制御部１は、ＩＣレコーダ２０が接続されているか否かを判定する。ＩＣレコーダ２０が接続されていなければ、信号処理制御部１は、ユーザの操作部６に対する操作により撮影開始指示がなされたか否かを判定する（Ｓ１０３）。撮影開始指示がなされると、信号処理制御部１は、動画撮影を行うか静止画撮影を行うか否かを判定する（Ｓ１０４）。動画撮影であれば、信号処理制御部１は、ＩＣレコーダ２０が接続され、かつＩＣレコーダ２０が録音中であるか否かを判定する（Ｓ１０４ｂ）。ＩＣレコーダ２０が接続されて録音中であれば、信号処理制御部１は、ＩＣレコーダ２０に通信部１２を介して録音の指示を与え、かつ撮像部２を連続動作させて動画像データを取得する動画撮影を実行する（Ｓ１０４ｃ）。ＩＣレコーダ２０が接続されていなければ、信号処理制御部１は、撮像部２を連続動作させることで動画像データを取得する動画撮影を実行する（Ｓ１０５）。動画撮影中において、信号処理制御部１は、ユーザによる操作部６の操作により撮影終了指示がなされたか否かを判定する（Ｓ１０６）。撮影終了指示がなければ、信号処理制御部１は、Ｓ１０５に戻って動画撮影を継続する。静止画撮影の場合、信号処理制御部１は、Ｓ１０４からＳ１０９に移り、撮像部２を動作させることで静止画像データを取得する静止画撮影を実行する。
【００１９】
静止画撮影又は動画撮影の終了後、信号処理制御部１は、図４（ｂ）に示すフォーマットに従って画像ファイルを作成し、作成した画像ファイルを記録部４に記録する（Ｓ１０７）。ＩＣレコーダ２００が接続されていない場合、画像ファイルのヘッダ部には、例えば撮影開始時刻、撮影終了時刻の情報が記録される。画像ファイルの作成後、信号処理制御部１は、ユーザによる操作部６の操作により電源オフの指示がなされたか否かを判定する（Ｓ１０８）。電源オフの指示があれば信号処理制御部１は、カメラ制御を終了する。電源オフの指示が無ければ、信号処理制御部１は、Ｓ１０１に戻る。
【００２０】
一方、ＩＣレコーダ２０が接続されていると、信号処理制御部１は、ＩＣレコーダ２０が録音中であるか否かを判定する（Ｓ１２１）。録音中でなれば、表示制御部１ａは、図２に示すように操作インフォメーションとしてＩＣレコーダ２０による録音を促すためのタップ・録音Ｅ１をスルー画像上に合成して液晶ディスプレイ等の表示画面８ａ上に表示する（Ｓ１２２）。このタップ・録音Ｅ１は、撮影により取得されたスルー画像上に合成表示される。ユーザＱは、ＩＣレコーダ２０による録音を開始する場合、液晶ディスプレイ等の表示画面８ａ上の操作インフォメーションであるタップ・録音Ｅ１をタッチする。タッチパネル１３は、ユーザＱによるタッチ位置に対応するタッチ位置信号を出力する。タッチパネル判定部７は、タッチパネル１３からのタッチ位置信号を受けてタッチパネル１３へのタッチを判定する（Ｓ１２３）と共に、タッチ位置情報を表示制御部１ａに送る。この表示制御部１ａは、タッチパネル判定部７からのタッチ位置情報を受けてタップ・録音Ｅ１の操作インフォメーションに対する動作の指示をＩＣレコーダ２０に送る。ＩＣレコーダ２０は、表示制御部１ａからの録音の指示を受けて録音を開始（Ｓ１２４）する。このＩＣレコーダ２０の信号処理制御部２１は、音声収録部２７を動作させて各マイクロホンＭ１、Ｍ２からの各音声データを取得して録音を実行する。表示制御部１ａは、液晶ディスプレイ等の表示画面８ａ上の操作インフォメーションである録音中をスルー画像上に合成して表示する（Ｓ１２５）。
【００２１】
ＩＣレコーダ２０が録音中であれば、表示制御部１ａは、Ｓ１２１からＳ１３１に移り、図５に示すように操作インフォメーションとしてタップ・録音終了Ｅ２をスルー画像上に合成して液晶ディスプレイ等の表示画面８ａ上に表示する（Ｓ１３１）。ユーザＱは、ＩＣレコーダ２０による録音を終了する場合、操作インフォメーションであるタップ・録音終了Ｅ２をタッチする。表示制御部１ａは、録音終了であるか否かを判定し（Ｓ１３２）、録音終了であれば、録音終了の指示をＩＣレコーダ２０に送る。ＩＣレコーダ２０は、表示制御部１ａからの録音終了の指示を受けて録音を終了（Ｓ１３３）する。
【００２２】
ＩＣレコーダ２０の信号処理制御部２１は、図４（ａ）に示すようなフォーマットで音声ファイルＶを記録部２４に記録する。音声ファイルＶの音声データ部は、音声データが時系列の記録された複数のトラックに分割され、かつある一定の時間（秒）毎にマイクロホンＭ１により集音された音声データのトラック「１」と、マイクロホンＭ２により集音された音声データのトラック「２」と別けられて記録される（Ｓ１３４）。信号処理制御部２１は、録音中に、撮影が有ったか否かを判定し（Ｓ１３５）、撮影が有れば、これら画像データ中における各主被写体の大きさを比較する（Ｓ１３６）。信号処理制御部２１は、画像データ中における各主被写体のうち最も大きく撮影された画像データをサムネイル画像として選択する（Ｓ１３７）。このサムネイル画像は、図４（ａ）に示すように音声ファイルＶのヘッダ部に添付される。
【００２３】
一方、上記録音終了であるか否かの判定の結果、録音終了でなければ、表示制御部１ａは、Ｓ１３２からＳ１４１に移り、図７に示す他の操作インフォメーションの表示操作のフローチャートを実行する。表示制御部１ａは、図５に示すように操作インフォメーションとして録音の時間Ｔを液晶ディスプレイ等の表示画面８ａ上にスルー画像上に合成して表示し（Ｓ２０１）、各マイクロホンＭ１、Ｍ２の各録音ゲインＲ１、Ｒ２を同表示画面８ａ上にスルー画像上に合成して表示する（Ｓ２０２）。表示制御部１ａは、同表示画面８ａ上の各録音ゲインＲ１、Ｒ２の部分がタッチされて録音ゲインの調整が行われたか否かを判定する（Ｓ２０３）。ユーザＱが同表示画面８ａ上の各録音ゲインＲ１、Ｒ２のうち例えば録音ゲインＲ１の部分をタッチすると、このタッチの毎に表示制御部１ａは、例えばバー形状の録音ゲインＲ１のバーの長さを長くすると共に、録音ゲインを大きくする指令をＩＣレコーダ２０に送る（Ｓ２０４）。表示制御部１ａは、複数回のタッチを受けて録音ゲインが最大に到達すると、タッチを受ける毎にバー形状の録音ゲインＲ１のバーの長さを短くし、かつ録音ゲインを下げる指示をＩＣレコーダ２０に送る。又、表示制御部１ａは、各マイクロホンＭ１、Ｍ２のステレオ集音範囲Ｄ１、Ｄ２の範囲を同表示画面８ａ上にスルー画像上に合成して表示する（Ｓ２０５）。各マイクロホンＭ１、Ｍ２がそれぞれ首振りされてステレオ集音範囲Ｄ１、Ｄ２の位置が変更され、かつユーザＱが同表示画面８ａ上の各ステレオ集音範囲Ｄ１、Ｄ２の部分がタッチされドラックにより移動されると（Ｓ２０６）、表示制御部１ａは、ドラックにより移動された位置に各ステレオ集音範囲Ｄ１、Ｄ２を変更する（Ｓ２０７）。
【００２４】
カメラ１００に別体のＩＣレコーダ２０を接続したときの動作について図８を参照して説明する。  
例えば、バードウォッチングでは、鳥の鳴き声を録音し、鳥の写真も撮りたいという要望がある。カメラ１００とＩＣレコーダ２０との両方を持って歩くのは大変であり、カメラ１００を構えているときには手が塞がってＩＣレコーダ２０の操作ができないことが多い。例えば図２に示すような状況では、カメラ１００とＩＣレコーダ２０とを接続して一体にし、カメラ１００の液晶ディスプレイ等の表示画面８ａ上に表示されているタップ・録音Ｅ１等の操作インフォメーションを操作して鳥の鳴き声が聞こえたらＩＣレコーダ２０を録音状態とし、鳥の姿を見つけたらカメラ１００で撮影するといった使用を行うことができる。
【００２５】
図８に示すように時間経過に従って録音と撮影とのタイミングを説明すると、鳥の鳴き声を聴いて録音を開始する場合がある。この場合、カメラ１００の液晶ディスプレイ等の表示画面８ａ上に表示されているタップ・録音Ｅ１を操作し、ＩＣレコーダ２０により録音を続けながら鳥を探すような状況となる。鳥の姿が見つかると、カメラ１００により撮影を行って画像データＫ１を取得する。撮影する鳥の姿の構図の良いものが得られるまで、カメラ１００による撮影が行われ、画像データＫ２が取得される。鳥の鳴き声が聞こえなくなると、表示画面８ａ上に表示されているタップ・録音終了Ｅ２を操作してＩＣレコーダ２０による録音が中断されるが、カメラ１００による撮影が継続され、画像データＫ３が取得される。満足する鳥の姿の構図の撮影が出来た後、再度、カメラ１００の液晶ディスプレイ等の表示画面８ａ上に表示されているタップ・録音Ｅ１を操作し、鳴き始めた鳥の鳴き声をＩＣレコーダ２０により録音する。
【００２６】
このように上記一実施の形態によれば、ＩＣレコーダ２０が接続されたか否かを判定し、ＩＣレコーダ２０が接続されていれば、ＩＣレコーダ２０を動作させるための操作インフォメーションをカメラ１００における液晶ディスプレイ等の表示再生部８に表示するので、カメラ１００にＩＣレコーダ２０を取り付けた状態でも、被写体の音声の録音の操作をカメラ１００の表示再生部８に表示されるＩＣレコーダ２０の操作インフォメーションを操作しながら行うことができ、かつカメラ１００による撮影と、ＩＣレコーダ２０により録音とを別々に行うこともでき、ＩＣレコーダ２０の操作性を向上できる。図２に示すようなカメラ１００に別体のＩＣレコーダ２０を接続した状態での使用では、ＩＣレコーダ２０の表示画面２５ａのサイズが小さい上に、同表示画面２５ａの向きがユーザＱの視線の方向と異なる方向に向いてしまうので、同表示画面２５ａ上に表示されるＩＣレコーダ２０の録音中等の動作状態の情報を確認しにくいものがある。カメラ１００であれば、表示再生部８に表示される操作インフォメーションによりＩＣレコーダ２０の操作内容や動作状態を容易に確認できる。従って、様々なシーンで最適な撮影や音声記録がそれぞれ自由に使い分けでき、かつ様々な状況において効果的な音声、画像の記録ができる。
【００２７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、操作インフォメーションに対する操作は、カメラ１００の背面の液晶ディスプレイ上におけるタッチパネル１３へのタッチによって行っているが、これに限らず、カメラ１００の操作ボタンへの操作によって行ってもよい。
【符号の説明】
【００２８】
１００：撮影機器（カメラ）、２０：音声記録装置（ＩＣレコーダ）、１０：カメラ本体、３０：交換レンズ、８ａ：液晶ディスプレイ等の表示画面、Ｍ１，Ｍ２：マイクロホン、３２：撮像レンズ、３１：撮影制御部、３７：レンズ制御部、３３：通信部、１：信号処理制御部、２：撮像部、３：通信部、４：記録部、５：振動判定部、６：操作部、７：タッチパネル判定部、８：表示再生部、９：時計部、１２：通信部、１３：タッチパネル、５１：チップ素子、５１ａ，５１ｂ，５１ｃ：チップ素子、１ａ：表示制御部、２１：信号処理制御部、２２：通信部、２４：記録部、２５：表示再生部、２６：操作部、２７：音声収録部、２９：時計部。
【図１】
2014168255.tif 000003
【図２】
2014168255.tif 000004
【図３】
2014168255.tif 000005
【図４】
2014168255.tif 000006
【図５】
2014168255.tif 000007
【図６】
2014168255.tif 000008
【図７】
2014168255.tif 000009
【図８】
2014168255.tif 000010